(57)【特許請求の範囲】
【請求項１】
スイッチ情報が表示可能な表示手段の表示画面上に配設されると共に導電路を設けた薄形のベースケースと、このベースケースに固定されて前記導電路と接続されたスイッチと、前記ベースケースの表面側に配置されて前記ベースケースを透過したスイッチ情報を透過・表示すると共に押圧動作により前記スイッチを作動させる薄形の透過操作板とを備え、前記表示画面上で操作される表示画面用スイッチにあって、
前記ベースケースが金属部材をインサート成形した樹脂によって形成され、前記金属部材の一部が前記導電路として構成されると共に、前記金属部材の一部が樹脂より露出されて前記スイッチのスイッチ端子として構成されたことを特徴とする表示画面用スイッチ。
【請求項２】
請求項１記載の表示画面用スイッチであって、
前記スイッチは、２つの固定側端子とこの２つの固定側端子間を接続・離間する可動側端子とから成り、前記２つの固定側端子及びこれらの前記導電路が共に前記金属部材にて構成されたことを特徴とする表示画面用スイッチ。
【請求項３】
請求項２記載の表示画面用スイッチであって、
前記可動側端子は、前記透過操作板の押圧動作により弾性変形して２つの固定側端子間を接続し、前記透過操作板が元に戻ると弾性復帰変形して２つの固定側端子間を非接続とする可動側端子部材にて構成されたことを特徴とする表示画面用スイッチ。
【請求項４】
請求項３記載の表示画面用スイッチであって、
前記可動側端子部材は、前記２つのスイッチ端子が露出する樹脂の穴に配置されたドーム形状を有し、このドーム形状の中央部分が前記透過操作板の押圧動作で潰れるよう弾性変形することによって２つの固定側端子間を接続することを特徴とする表示画面用スイッチ。
【請求項５】
請求項１〜請求項４記載の表示画面用スイッチであって、
前記金属部材は、前記ベースケースのほぼ骨格をなす形状を有することを特徴とする表示画面用スイッチ。
【請求項６】
請求項１〜請求項５記載の表示画面用スイッチであって、
前記金属部材によって前記スイッチ端子及びこれに接続される導電路が複数組構成され、前記各スイッチをそれぞれ作動させる前記透過操作板も複数設けられたことを特徴とする表示画面用スイッチ。
【請求項７】
請求項１〜請求項６記載の表示画面用スイッチであって、
前記ベースケースと前記透過操作板との間には、前記スイッチの全周囲を囲むように弾性部材が設けられたことを特徴とする表示画面用スイッチ。
【発明の詳細な説明】
【０００１】
【発明の属する技術分野】
本発明は、スイッチ情報を表示画面に表示し、この表示画面上で操作される表示画面用スイッチに関する。
【０００２】
【従来の技術】
近年、スイッチ機能のマルチ化を目的として、スイッチ情報をディスプレイの表示画面に表示し、この表示画面上で操作される表示画面用スイッチが提案されている。この表示画面用スイッチとしては、表示画面上のタッチパネル自体を押下するタッチパネル式のものや、表示画面上の透過操作部材を押下することで接触式スイッチを作動させるもの等がある。タッチパネル式のものは押下による操作ストロークがほとんどないため入力感覚に欠ける。しかし、透過操作部材と接触式スイッチによるものは押下による操作ストロークが十分であるため、入力感覚に優れており、本出願人はかかる構成の表示画面用スイッチを先に提案した  （特許出願平１０−３７１６００号出願書類参照）。
【０００３】
上記表示画面用スイッチの構成を図６〜図１０を用いて簡単に説明する。図６〜図１０は車載用電装機器の表示画面用スイッチに適用した場合が示され、図６は車載用電装機器Ａの斜視図、図７は車載用電装機器Ａの分解斜視図、図８は車載用電装機器Ａの正面図、図９は表示画面用スイッチの分解斜視図、図１０は表示画面用スイッチの断面図である。
【０００４】
図６〜図１０において、車載用電装機器Ａは前面が開口された板金ケース１内にＣＤやカセット等の機器２が内蔵され、板金ケース１の前面には操作パネル３が固定されている。操作パネル３はスイッチ基板４とスイッチ操作体５と表示画面用スイッチ６、７とフェイスカバー８とから成り、これらが積層状態で配置されている。スイッチ基板４の表面側には表示手段である液晶ディスプレイ９が設けられており、この液晶ディスプレイ９の周囲にはスイッチ本体１０が多数設けられている。液晶ディスプレイ９はスイッチ情報を含めて種々の情報を表示画面９ａに表示できる。スイッチ操作体５には前記複数のスイッチ本体１０に対応する位置にスイッチ操作部１１がそれぞれ設けられ、この各スイッチ操作部１１を押下する等により各スイッチ本体１０が作動される。表示画面用スイッチ６、７の詳しい構成は下記する。
【０００５】
フェイスカバー８には前記各スイッチ操作部１１に対応する位置にスイッチ用開口部８ａがそれぞれ形成され、この各スイッチ用開口部８ａよりスイッチ操作部１１が露出されている。又、フェイスカバー８には液晶ディスプレイ９に対応する位置にディスプレイ用開口部８ｂが形成され、このディスプレイ用開口部８ｂより液晶ディスプレイ９の表示画面９ａの一部が露出されている。このディスプレイ用開口部９ｂは、図８に詳しく示すように、液晶ディスプレイ９の外形寸法よりも小さく、液晶ディスプレイ９の表示エリアＥ１は液晶ディスプレイ９の外形寸法よりも小さく設定されている。
【０００６】
そして、液晶ディスプレイ９の表示エリアＥ１以外の表示画面９ａの一部は、常駐表示エリアＥ２として構成されている。常駐表示エリアＥ２には時計、エアコン設定温度等の常時表示が必要な情報が表示される。常駐表示は各機能ゾーンの位置に近付けた位置に表示すると共に、光学系（例えば集束型レンズ）を利用して表示画面９ａに対して手前の位置に表示情報が見えるように構成されている。従って、操作者は表示画面９ａの表示位置とずれた手前の位置に表示情報が見えるため、常駐表示が判別しやすい。
【０００７】
一方、液晶ディスプレイ９の表示エリアＥ１及び常駐表示エリアＥ２以外の表示画面９ａ上には、表示画面用スイッチ６、７が配設される。
【０００８】
表示画面用スイッチ６は、モジュール化されており、図９及び図１０に示すように、液晶ディスプレイ９の表示画面９ａ上に配設された板状のベースケース１２と、このベースケース１２に固定された複数のスイッチ本体１３と、ベースケース１２の表面側に配置された複数の透過操作板１４とを備えている。
【０００９】
ベースケース１２は、表示画面９ａ上に配設される板状のケース本体部１５と、このケース本体部１５に表裏を貫通して形成され、表示画面９ａに表示されたスイッチ情報が透過操作板１４側へ透照される複数併設の透照窓部１６とを有する。
【００１０】
複数のスイッチ本体１３は、複数併設の透照窓部１６に対応するケース本体部１５の位置にそれぞれ固定されており、各スイッチ本体１３は、例えばメタルコンタクトによる接点を有する。ケース本体部１５の裏面側にはコネクタ部１７が設けられており、コネクタ部１７と複数のスイッチ本体１３との間はケース本体部１５に形成された導電路である配線パターン（図示せず）を介して電気的に接続されている。このコネクタ部１７はスイッチ基板４側のコネクタ部１８と接続される。
【００１１】
各透過操作板１４は、スイッチ情報が透過・表示される透明表示部２０と、この透明表示部２０の一側に設けられた固定部２１と、この固定部２１と複数の透明表示部２０との間に介在され、これらを連結する複数の弾性部２２と、透明表示部２０の他側に設けられたスイッチ押圧部２３とから構成されている。
【００１２】
各弾性部２２は、細長い湾曲形状に構成されており、透明表示部２０の表示画面９ａ側への押下力で弾性変形して透明表示部２０の下方変位を許容し、押下力が解除されると弾性復帰して透明表示部２０を元の上方位置に戻す。
【００１３】
固定部２１は、ケース本体部１５の操作板用係止ピン（特に、符号を付けず）に圧入等されることによってベースケース１２に固定されている。複数の透過操作板１４は、複数併設の透照窓部１６上及びスイッチ本体１３上にそれぞれ対応して配置されている。スイッチ押圧部２３は、透明表示部２０より一段低く設けられ、スイッチ本体１３の上方に配置されている。
【００１４】
他の表示画面用スイッチ７も、前記表示画面用スイッチ６と略同様に構成されている。
【００１５】
上記構成において、液晶ディスプレイ９の表示画面９ａには種々の情報が選択的に表示され、複数の透過操作板１４に対応する表示画面９ａの箇所にはスイッチ情報が表示される。表示画面９ａに表示された複数のスイッチ情報は各透過操作板１４の透明表示部２０の表面側に透過表示され、操作者はこれを見て所望の透過操作板１４の透明表示部２０を押下する。すると、透明表示部２０が弾性部２２の弾性変形により下方に変位してスイッチ押圧部２３がスイッチ本体１３を押圧してスイッチ本体１３が作動される。
【００１６】
こ従来例にあっては、液晶ディスプレイ９の表示画面９ａ上に板状のベースケース１２と薄形の透過操作板１４とを積層状態で配置し、透過操作板１４の押圧動作によりベースケース１２に固定されたスイッチ本体１３を作動させるものであるから、図１０に示すように、表示画面９ａとキートップである透過操作板１４の透明表示部２０の上面との距離Ｙが短いために、操作者は表示画面９ａに表示されたスイッチ情報が見えやすいものである。
【００１７】
つまり、透過操作部材と接触式スイッチによる表示画面用スイッチにあっては、液晶ディスプレイの表示画面からキートップ上面までの距離が長いと、表示画面に表示されたスイッチ情報が奥まって見え、又、運転者から見る視角によりディスプレイ表示が観察できる領域が少なくなるため、表示画面からキートップ上面までの距離が短かい方がスイッチ情報が見えやすいからである。そして、表示画面からキートップ上面までの距離は短ければ短いほど良いため、図１０に示すように、ベースケース１２はディスプレイ９の表示画面９ａにほとんど隙間なく設置される。
【００１８】
【発明が解決しようとする課題】
しかしながら、透過操作板１４が押圧され、この透過操作板１４の押圧力がスイッチ本体１３を介して、又は、直接にベースケース１２に伝達されると、ベースケース１２は樹脂によって作成されているため、上記押圧力によって撓み変形して液晶ディスプレイ９のガラス面に干渉する。応力がガラス面に作用すると、ＴＦＴ等の液晶ディスプレイ９の場合には、表示画面９ａに歪みが発生して視認性が悪くなると共に機器自体の品位を下げてしまうおそれもある。特に、透過操作板１４はスイッチ本体１３が作動するよりも遥かに強い押圧力で押圧されることも有り得るため、ベースケース１２と液晶ディスプレイ９の表示画面９ａとの干渉を回避することが好ましい。
【００１９】
そこで、本発明は、前記した課題を解決すべくなされたものであり、ベースケースと表示画面との干渉を極力防止できる表示画面用スイッチを提供することを目的とする。
【００２０】
【課題を解決するための手段】
請求項１の発明は、スイッチ情報が表示可能な表示手段の表示画面上に配設されると共に導電路を設けた薄形のベースケースと、このベースケースに固定されて前記導電路と接続されたスイッチと、前記ベースケースの表面側に配置されて前記ベースケースを透過したスイッチ情報を透過・表示すると共に押圧動作により前記スイッチを作動させる薄形の透過操作板とを備え、前記表示画面上で操作される表示画面用スイッチにあって、前記ベースケースが金属部材をインサート成形した樹脂によって形成され、前記金属部材の一部が前記導電路として構成されると共に、前記金属部材の一部が樹脂より露出されて前記スイッチのスイッチ端子として構成されたことを特徴とする。
【００２１】
この表示画面用スイッチでは、透過操作板が押圧されると、この透過操作板の押圧動作によってベースケースに固定されたスイッチが作動され、上記押圧力がベースケースに伝達されるがベースケースは金属部材をインサート成形した樹脂であることから容易に撓まない。
【００２２】
請求項２の発明は、請求項１記載の表示画面用スイッチであって、前記スイッチは、２つの固定側端子とこの２つの固定側端子間を接続・離間する可動側端子とから成り、前記２つの固定側端子及びこれらの前記導電路が共に前記金属部材にて構成されたことを特徴とする。
【００２３】
この表示画面用スイッチでは、請求項１の発明の作用に加え、２つの固定側端子及びその導電路が共に金属部材にて構成され、可動側端子は２つの固定側端子間の接続・離間のみを行う構成であるから導電路が必要ない。
【００２４】
請求項３の発明は、請求項２記載の表示画面用スイッチであって、前記可動側端子は、前記透過操作板の押圧動作により弾性変形して２つの固定側端子間を接続し、前記透過操作板が元に戻ると弾性復帰変形して２つの固定側端子間を非接続とする可動側端子部材にて構成されたことを特徴とする。
【００２５】
この表示画面用スイッチでは、請求項２の発明の作用に加え、スイッチが金属部材の一部と弾性変形可能な可動側端子部材とで構成される。
【００２６】
請求項４の発明は、請求項３記載の表示画面用スイッチであって、前記可動側端子部材は、前記２つの金属端子が露出する樹脂の穴に配置されたドーム形状を有し、このドーム形状の中央部分が前記透過操作板の押圧動作で潰れるよう弾性変形することによって２つの固定側端子間を接続することを特徴とする。
【００２７】
この表示画面用スイッチでは、請求項３の発明の作用に加え、可動側端子部材が樹脂の穴に配置されるため、さらに薄型化が可能になる。
【００２８】
請求項５の発明は、請求項１〜請求項４記載の表示画面用スイッチであって、前記金属部材は、前記ベースケースのほぼ骨格をなす形状を有することを特徴とする。
【００２９】
この表示画面用スイッチでは、請求項１〜請求項４の発明の作用に加え、補強強度が向上する。
【００３０】
請求項６の発明は、請求項１〜請求項５記載の表示画面用スイッチであって、前記金属部材によって前記スイッチ端子及びこれに接続される導電路が複数組構成され、前記各スイッチをそれぞれ作動させる前記透過操作板も複数設けられたことを特徴とする。
【００３１】
この表示画面用スイッチでは、請求項１〜請求項５の発明の作用に加え、複数の透過操作板とこれに対応するスイッチとを有するため、複数の入力が可能である。
【００３２】
請求項７の発明は、請求項１〜請求項６記載の表示画面用スイッチであって、前記ベースケースと前記透過操作板との間には、前記スイッチの全周囲を囲むように弾性部材が設けられたことを特徴とする。
【００３３】
この表示画面用スイッチでは、請求項１〜請求項６の発明の作用に加え、外部からの塵・埃の進入が弾性部材によって防止される。
【００３４】
【発明の実施の形態】
以下、本発明の一実施形態を図面に基づいて説明する。
【００３５】
本発明の一実施形態も前記従来例と同様に、本発明を車載用電装機器の表示画面用スイッチに適用した場合であり、同一構成の箇所は重複説明を回避するため説明を省略し、異なる構成箇所のみを説明する。つまり、異なる構成箇所は表示画面用スイッチの箇所であり、図１〜図５を用いて説明する。
【００３６】
図１（Ａ）は表示画面用スイッチの斜視図、図１（Ｂ）はその断面図、図２は金属部材の斜視図、図３はベースケースの斜視図、図４はベースケースの一部拡大斜視図、図５（Ａ）は透過操作板の押圧前の状態を示す要部断面図、図５（Ｂ）は透過操作板を押圧した状態を示す要部断面図である。
【００３７】
図１〜図５において、表示画面用スイッチ３０は、液晶ディスプレイ９の表示画面９ａ上に配設された薄形のベースケース３１と、このベースケース３１に固定された複数のスイッチ３２と、ベースケース３１の表面側に配置された複数の透過操作板３３と、ベースケース３１の上面を覆い、且つ、各透過操作板３３を支持するカバーケース３４とを備えている。
【００３８】
ベースケース３１は、図２に示す金属部材３５、３６をインサート成形した樹脂（例えば黒色のＡＢＳ樹脂）によって形成されている。ベースケース３１は、図３に示すように、板状のケース底面部３１ａと、このケース底面部３１ａの周縁端より立設された壁部３１ｂと、この壁部３１ｂに固定されたコネクタ部３１ｃと、壁部３１ｂよりさらに上方に延設された一対の係止部３１ｄとから構成されている。ケース底面部３１ａには表裏を貫通して形成され、表示画面９ａに表示されたスイッチ情報が透過操作板３３側へ透照される複数の透照窓部３７が併設されていると共に、この各透照窓部３７の近傍位置には有底の円形の穴３８がそれぞれ設けられている。一対の係止部３１ｄは、フェイスカバー１５（図９参照）の係止溝（図示せず）に係止されている。
【００３９】
前記金属部材３５、３６は、導電性の金属材（例えば銅材）であり、メインの金属部材３５と６つの金属部材３６とから構成されている。図２に示すように、メインの金属部材３５は、ベースケース３１のほぼ骨格をなす形状を有し、各穴３８に対応する位置に切欠部３５ｄを有すると共に、各透照窓部３７に対応する位置にも穴３５ｅを有する。６つの金属部材３６は、前記金属部材３５には非接触状態で、且つ、前記金属部材３５の各切欠部３５ｄの位置に配置されている。尚、インサート成形時には、取扱を容易にするため双方の金属部材３５、３６同士を連結状態とし、インサート成形後にその連結状態を解除するようにしても良い。
【００４０】
金属部材３５と６つの金属部材３６には、ロッド状のコネクタ端子３５ａ、３６ａがそれぞれ一体に設けられ、この各コネクタ端子３５ａ、３６ａがインサート成形後には前記コネクタ部３１ｃの端子として構成される。又、樹脂の円形の各穴３８からは、前記金属部材３５、３６の一部が露出され、この露出された部分がスイッチ３２のスイッチ端子３５ｂ、３６ｂとして構成されている。メインの金属部材３５のスイッチ端子３５ｂは、アース用の固定側端子として、６つの金属部材３６の各スイッチ端子３６ｂは、入力用の固定側端子としてそれぞれ構成されている。
【００４１】
そして、金属部材３５にあって、スイッチ端子３５ｂとコネクタ端子３５ａを構成する以外の部分は、これらの端子３５ｂ、３５ａ間を電気的に接続する導電路３５ｃとして構成されている。６つの各金属部材３６においても、スイッチ端子３６ｂとコネクタ端子３６ａを構成する以外の部分は、これらの端子３６ｂ、３６ａ間を電気的に接続する導電路３６ｃとして構成されている。
【００４２】
各スイッチ３２は、２つの固定側端子とこの２つの固定側端子間を接続・離間する可動側端子とからなり、２つの固定側端子が前記したように金属部材３５、３６のスイッチ端子３５ｂ、３６ｂにて構成されている。各可動側端子は、図１（Ｂ）、図４に示すように、樹脂の穴３８に嵌合された可動側端子部材４０にてそれぞれ構成されている。この各可動側端子部材４０は、弾性変形可能な導電性部材にてドーム状に構成されており、各可動側端子部材４０の下面はアース側のスイッチ端子３５ｂに接触されているが、入力側のスイッチ端子３６ｂに接触されていない。そして、可動側端子部材４０の中央部分が潰されるように弾性変形されると、入力側のスイッチ端子３６ｂにも接触状態となる。
【００４３】
各透過操作板３３は、スイッチ情報が透過・表示される透明表示部３３ａと、この透明表示部３３ａに連続して設けられたスイッチ押圧部３３ｂと、透明表示部３３ａ及びスイッチ押圧部３３ｂの両側に設けられた鍔部３３ｃとから構成されている。透過操作板３３は、全体を単に透明部材にて構成しても良いが、この実施形態では、光を透過させたい部分とそうでない部分とを、透明材と不透明材の２色成形によって形成されている。又、全体を単に透明部材にて構成し、光透過させたい透明表示部３３ａ以外は、他からの反射や光漏れを防止するために塗装しても良い。
【００４４】
透明表示部３３ａは、ベースケース３１の各透照窓部３７の真上に位置し、スイッチ押圧部３３ｂは、ベースケース３１の各穴３８の真上に位置する。そして、各スイッチ押圧部３３ｂの下面にはプッシュロッド部４１がそれぞれ設けられ、このプッシュロッド部４１の下端は各穴３８に嵌合された可動側端子部材４０の上方近接位置まで達している。
【００４５】
又、各透過操作板３３の下面の全周縁には弾性部材であるラバー４２が接着されており、このラバー４２の下面はベースケース３１に当接されている。つまり、各透過操作板３３とベースケース３１との間には、各スイッチ３２の全周囲を囲むようにラバー４２が設けられいる。このラバー４２は若干圧縮変形され、この変形復帰力を透過操作板３３の一対の鍔部３３ｃがカバーケース３４の下面に当接することによって受けている。
【００４６】
カバーケース３４は、樹脂（例えば黒色のＡＢＳ樹脂）によって形成され、ベースカバー３１に上方から装着されている。カバーケース３４には、複数の穴３４ａが形成され、この各穴３４ａより透過操作板３３の透明表示部３３ａとスイッチ押圧部３３ｂの上方が露出されている。
【００４７】
上記構成において、液晶ディスプレイ９の表示画面９ａには種々の情報が選択的に表示され、複数の透過操作板３３に対応する表示画面９ａの箇所にはスイッチ情報が表示される。表示画面９ａに表示された複数のスイッチ情報は各透過操作板３３の透明表示部３３ａの表面側に透過表示され、図５（Ａ）に示すように、操作者はこれを見て所望の透過操作板３３のスイッチ押圧部３３ｂを押下する。
【００４８】
すると、図５（Ｂ）に示すように、透明表示部３３ａがラバー４２の弾性変形により下方に変位してスイッチ押圧部３３ｂのプッシュロッド部４１がスイッチ３２の可動側端子部材４０を押圧して可動側端子部材４０の中央部分が潰れるように弾性変形する。この弾性変形により可動側端子部材４０の中央部分が入力側のスイッチ端子３６ｂにも接触してスイッチ３２がオン状態とされる。
【００４９】
操作者が透過操作板３３の押圧をやめると、ラバー４２の弾性復帰変形により透過操作板３３が上方に変位して元の位置に戻る。又、透過操作板３３の上方変位によってスイッチ押圧部３３ｂのプッシュロッド部４１が可動側端子部材４０から離間する。すると、可動側端子部材４０も弾性復帰変形して可動側端子部材４０の中央部分が入力側のスイッチ端子３６ｂから離間してスイッチ３２がオフ状態に戻る。
【００５０】
つまり、液晶ディスプレイ９の表示画面９ａ上に薄形のベースケース３１と薄形の透過操作板３３とを積層状態で配置し、透過操作板３３の押圧動作によりベースケース３１に固定されたスイッチ３２を作動させるものであるから、図１  （Ｂ）に示すように、表示画面９ａとキートップである透過操作板３３の透明表示部３３ａの上面との距離Ｙが短いために、操作者は表示画面９ａに表示されたスイッチ情報が見えやすいものである。
【００５１】
上記動作過程にあって、透過操作板３３が押圧されると、この透過操作板３３の押圧力がベースケース３１に伝達されるが、ベースケース３１は金属部材３５、３６をインサート成形した樹脂であることから強度的に強く容易に撓まないため、ベースケース３１と表示画面９ａとの干渉を極力防止できる。従って、この実施形態のように表示手段がＴＦＴ等の液晶ディスプレイ９の場合にあっても、表示画面９ａに歪みが発生せず、良好な視認性を保持できると共に機器自体の品位も維持できる。又、金属部材３５、３６にて導電路３５ｃ、３６ｃを構成したので、スイッチ端子３５ｂ、３６ｂについて導電路３５ｃ、３６ｃを別途設ける必要がない。又、この実施形態では、コネクタ端子３５ａ、３６ａをも金属部材３５、３６にて構成したので、さらに製造工程や部品点数等の点でも有利である。
【００５２】
また、この実施形態では、スイッチ３２は、２つの固定側端子とこの２つの固定側端子間を接続・離間する可動側端子とから成り、２つの固定側端子及びこれらの前記導電路が共に金属部材３５、３６にて構成されているので、可動側端子部材４０は２つの固定側端子間の接続・離間のみを行えば良いため、全く配線の引き回しが必要ない。
【００５３】
さらに、この実施形態では、スイッチ３２が金属部材３５、３６の一部と弾性変形可能な可動側端子部材４０とで構成されているため、従来例のようにスイッチ本体１３（図１０に示す）を搭載する場合に比べて安価に作成でき、又、部品点数が削減できるため、組み付け工数を削減できる。
【００５４】
また、この実施形態では、スイッチ３２がベースケース３１にインサート成形された金属部材３５、３６の一部とベースケース３１の樹脂の穴３８に配置されるドーム状の可動側端子部材４０にて構成されているため、従来例のようにスイッチ本体１３（図１０に示す）を搭載する場合に比べてさらに薄型化が可能になり、よりスイッチ情報が見えやすい。
【００５５】
さらに、この実施形態では、金属部材３５がベースケース３１のほぼ骨格をなす形状を有するので、ベースケース３１の補強強度が非常に大きいため、ベースケース３１と表示画面９ａとの干渉をより防止できる。
【００５６】
また、この実施形態では、複数の透過操作板３３とこれに対応するスイッチ３２とを有するため、複数の入力が可能である。
【００５７】
さらに、この実施形態では、各透過操作板３３とベースケース３１との間には、各スイッチ３２の全周囲を囲むようにラバー４２が設けられているため、外部からの塵・埃がラバー４２によってスイッチ３２の箇所に進入するのを防止できるため、塵・埃によるスイッチ３２の接触不良を防止できる。
【００５８】
尚、前記実施形態では、スイッチ３２は、２つの固定側端子とこれらを接触する可動側端子にて構成したが、スイッチ３２の形態は種々適用できる。例えば、１つの固定側端子と可動側端子にて構成し、固定側端子を金属部材の一部にて構成し、可動側端子を他の金属部材のバネ性を持たせた一部にて構成し、この２つのスイッチ端子を上下方向に離間して配置し、透過操作板３３の押圧力によってバネ性のあるスイッチ端子が下方に弾性変形して他のスイッチ端子に接触するよう構成しても良い。このように構成すれば、前記実施形態のような可動側端子部材４０自体が必要ない。又、固定側端子を金属部材の一部にて構成し、可動側端子を可動側端子部材４０にて構成し、透過操作板３３の押圧力によって可動側端子部材４０が下方に弾性変形して固定側端子に接触するよう構成しても良い。但し、この場合には可動側端子部材４０側に配線の引き回しが必要である。
【００５９】
尚、前記実施形態では、表示画面用スイッチ３０をモジュール化すると共に、係止爪部３１ｄを設け、取付け相手であるフェイスカバー８に係止溝（図示せず）を設けたので、表示画面用スイッチ３０が簡単に取付け可能である。
【００６０】
尚、前記実施形態では、本発明を車載用電装機器の表示画面用スイッチ３０に適用した場合を示したが、車載用電装機器以外の表示画面用スイッチに適用できることはもちろんである。
【００６１】
尚、この実施形態では、表示手段として液晶ディスプレイ９を用いたが、種々の情報を表示画面に表示できるものであれば良く、陰極線管等を用いて構成しても良い。
【００６２】
【発明の効果】
以上説明したように、請求項１の発明によれば、薄形のベースケースと、このベースケースに固定されたスイッチと、ベースケースの表面側に配置されスイッチを作動させる薄形の透過操作板とを備える表示画面用スイッチにあって、ベースケースが金属部材をインサート成形した樹脂によって形成され、金属部材の一部が導電路として構成されると共に、金属部材の一部が樹脂より露出されてスイッチのスイッチ端子として構成されたので、透過操作板が押圧されると、この透過操作板の押圧動作によってベースケースに固定されたスイッチが作動され、上記押圧力がベースケースに伝達されるがベースケースは金属部材をインサート成形した樹脂であることから容易に撓まないため、ベースケースと表示画面との干渉を極力防止できる。従って、表示手段がＴＦＴ等の液晶デバイスの場合に表示画面に歪みが発生せず、良好な視認性を保持できると共に機器自体の品位も維持できる。又、金属部材にて導電路を構成したので、スイッチ端子について導電路を別途設ける必要がない。
【００６３】
請求項２の発明によれば、請求項１記載の表示画面用スイッチであって、スイッチは、２つの固定側端子とこの２つの固定側端子間を接続・離間する可動側端子とから成り、２つの固定側端子及びこれらの前記導電路が共に金属部材にて構成されたので、請求項１の発明の効果に加え、２つの固定側端子及びその導電路が共に金属部材にて構成され、可動側端子は２つの固定側端子間の接続・離間のみを行う構成であるから導電路が必要ないため、全く配線の引き回しが必要ない。
【００６４】
請求項３の発明によれば、請求項２記載の表示画面用スイッチであって、可動側端子は、透過操作板の押圧動作により弾性変形して２つの固定側端子間を接続し、透過操作板が元に戻ると弾性復帰変形して２つの固定側端子間を非接続とする可動側端子部材にて構成されたので、請求項２の発明の効果に加え、スイッチが金属部材の一部と弾性変形可能な可動側端子部材とで構成されるため、安価に作成でき、又、部品点数が削減できるため、組み付け工数を削減できる。
【００６５】
請求項４の発明によれば、請求項３記載の表示画面用スイッチであって、前記可動側端子部材は、２つの金属端子が露出する樹脂の穴に配置されたドーム形状を有し、このドーム形状の中央部分が前記透過操作板の押圧動作で潰れるよう弾性変形することによって２つの固定側端子間を接続するので、請求項３の発明の効果に加え、可動側端子部材が樹脂の穴に配置されるため、さらに薄型化が可能になり、よりスイッチ情報が見えやすい。
【００６６】
請求項５の発明によれば、請求項１〜請求項４記載の表示画面用スイッチであって、金属部材はベースケースのほぼ骨格をなす形状を有するので、請求項１〜請求項４の発明の効果に加え、ベースケースの補強強度が向上するため、ベースケースと表示画面との干渉をより防止できる。
【００６７】
請求項６の発明によれば、請求項１〜請求項５記載の表示画面用スイッチであって、金属部材によってスイッチ端子及びこれに接続される導電路が複数組構成され、各スイッチをそれぞれ作動させる透過操作板も複数設けられたので、請求項１〜請求項５の発明の効果に加え、複数の透過操作板とこれに対応するスイッチとを有するため、複数の入力が可能である。
【００６８】
請求項７の発明は、請求項１〜請求項６記載の表示画面用スイッチであって、ベースケースと透過操作板との間には、スイッチの全周囲を囲むように弾性部材が設けられたので、請求項１〜請求項６の発明の効果に加え、外部からの塵・埃の進入が防止されるため、塵・埃によるスイッチの接触不良を防止できる。
【図面の簡単な説明】
【図１】本発明の一実施形態を示し、（Ａ）は表示画面用スイッチの斜視図、（Ｂ）はその断面図である。
【図２】本発明の一実施形態を示し、金属部材の斜視図である。
【図３】本発明の一実施形態を示し、ベースケースの斜視図である。
【図４】本発明の一実施形態を示し、ベースケースの一部拡大斜視図である。
【図５】本発明の一実施形態を示し、（Ａ）は透過操作板の押圧前の状態を示す要部断面図、（Ｂ）は透過操作板を押圧した状態を示す要部断面図である。
【図６】従来例を示し、車載用電装機器の斜視図である。
【図７】従来例を示し、車載用電装機器の分解斜視図である。
【図８】従来例を示し、車載用電装機器の正面図である。
【図９】従来例を示し、表示画面用スイッチの分解斜視図である。
【図１０】従来例を示し、表示画面用スイッチの断面図である。
【符号の説明】
９  液晶ディスプレイ（表示手段）
９ａ  表示画面
３１  ベースケース
３２  スイッチ
３３  透過操作板
３５、３６  金属部材
３５ｂ、３６ｂ  スイッチ端子
３５ｃ、３６ｃ  導電路
３８  穴
４０  可動側端子部材
４２  ラバー（弾性部材）
【図１】
0004113636.tif 000002
【図２】
0004113636.tif 000003
【図３】
0004113636.tif 000004
【図４】
0004113636.tif 000005
【図５】
0004113636.tif 000006
【図６】
0004113636.tif 000007
【図７】
0004113636.tif 000008
【図８】
0004113636.tif 000009
【図９】
0004113636.tif 000010
【図１０】
0004113636.tif 000011